(57)【要約】【課題】低温プラズマの生成を容易にする。【解決手段】低温プラズマの生成方法は、容積室内に配設された電極間に、パッシェンの法則によって定まる電圧以上の第一電圧を印加する第１ステップと、第１ステップに続けて、第一電圧よりも低い第二電圧を、所定の高周波で電極間に印加する第２ステップと、を備えている。【選択図】図６
2019149314.tif 000002
【特許請求の範囲】
【請求項１】
容積室内に配設された電極間に、パッシェンの法則によって定まる電圧以上の第一電圧を印加する第１ステップと、
前記第１ステップに続けて、前記第一電圧よりも低い第二電圧を、所定の高周波で前記電極間に印加する第２ステップと、を備えている低温プラズマの生成方法。
【請求項２】
請求項１に記載の低温プラズマの生成方法において、
前記第２ステップは、前記第一電圧から前記第二電圧に切り替えて、前記電極間に電圧を印加する低温プラズマの生成方法。
【請求項３】
請求項１に記載の低温プラズマの生成方法において、
前記第２ステップは、前記電極間に印加する電圧を、前記第一電圧から前記第二電圧まで、徐々に下げる低温プラズマの生成方法。
【請求項４】
請求項１〜３のいずれか１項に記載の低温プラズマの生成方法において、
前記第１ステップは、前記電極間に、少なくとも一回の前記第一電圧を印加する低温プラズマの生成方法。
【請求項５】
請求項４に記載の低温プラズマの生成方法において、
前記容積室の圧力が高いときには、低いときよりも、前記電極間に前記第一電圧を印加する回数を多くする低温プラズマの生成方法。
【請求項６】
請求項１〜５のいずれか１項に記載の低温プラズマの生成方法において、
前記容積室は、幾何学的圧縮比が１５以上のエンジンの燃焼室であり、
前記エンジンは、前記燃焼室内に生成した低温プラズマによってオゾン及び／又はＯラジカルを生成すると共に、前記燃焼室内の混合気を圧縮着火により燃焼させる低温プラズマの生成方法。
【請求項７】
請求項６に記載の低温プラズマの生成方法において、
前記エンジンは、燃焼室が吸気行程、圧縮行程、膨張行程及び排気行程を繰り返すことにより運転する４ストロークエンジンであり、
前記エンジンは、圧縮行程を前半と後半とに二等分したときの後半の期間に、前記燃焼室内に低温プラズマを生成する低温プラズマの生成方法。
【請求項８】
請求項１〜７のいずれか１項に記載の低温プラズマの生成方法において、
前記第一電圧は、５ｋＶ以上である低温プラズマの生成方法。
【請求項９】
請求項８に記載の低温プラズマの生成方法において、
前記第二電圧は、前記第一電圧よりも０．５ｋＶ以上低い低温プラズマの生成方法。
【請求項１０】
請求項１〜９のいずれか１項に記載の低温プラズマの生成方法において、
前記第２ステップは、前記第二電圧を、１０ｋＨｚ以上、１０００ｋＨｚ以下の周波数で前記電極間に印加する低温プラズマの生成方法。
【請求項１１】
吸気行程、圧縮行程、膨張行程及び排気行程を繰り返す燃焼室と、
前記燃焼室内に配設された一対の電極と、
前記電極の間に電圧を印加する制御部と、を備え、
前記制御部は、パッシェンの法則によって定まる電圧以上の第一電圧を、前記電極の間に印加した後、前記第一電圧よりも低い第二電圧を、所定の高周波で前記電極間に印加することによって、前記燃焼室内の混合気が圧縮着火により燃焼する前に、前記燃焼室内に低温プラズマを生成する圧縮着火式エンジン。
【請求項１２】
請求項１１に記載の圧縮着火式エンジンにおいて、
前記制御部は、前記第一電圧から前記第二電圧に切り替えて、前記電極間に電圧を印加する圧縮着火式エンジン。
【請求項１３】
請求項１１に記載の圧縮着火式エンジンにおいて、
前記制御部は、前記電極間に印加する電圧を、前記第一電圧から前記第二電圧まで、徐々に下げる圧縮着火式エンジン。
【請求項１４】
請求項１１〜１３のいずれか１項に記載の圧縮着火式エンジンにおいて、
前記制御部は、前記電極の間に、少なくとも一回の前記第一電圧を印加する圧縮着火式エンジン。
【請求項１５】
請求項１１〜１４のいずれか１項に記載の圧縮着火式エンジンにおいて、
前記制御部は、前記圧縮行程を前半と後半とに二等分したときの後半の期間に、前記燃焼室内に低温プラズマを生成する圧縮着火式エンジン。
【請求項１６】
請求項１５に記載の圧縮着火式エンジンにおいて、
前記制御部は、前記第一電圧の印加タイミングが遅いときには、早いときよりも、前記電極間に前記第一電圧を印加する回数を多くする圧縮着火式エンジン。
【請求項１７】
請求項１５又は１６に記載の圧縮着火式エンジンにおいて、
前記制御部は、前記第一電圧の印加タイミングが遅いときには、早いときよりも、前記第一電圧を高くする圧縮着火式エンジン。
【請求項１８】
請求項１１〜１７のいずれか１項に記載の圧縮着火式エンジンにおいて、
幾何学的圧縮比は１５以上である圧縮着火式エンジン。
【請求項１９】
請求項１１〜１８のいずれか１項に記載の圧縮着火式エンジンにおいて、
前記第一電圧は、５ｋＶ以上である圧縮着火式エンジン。
【請求項２０】
請求項１９に記載の圧縮着火式エンジンにおいて、
前記第二電圧は、前記第一電圧よりも０．５ｋＶ以上低い圧縮着火式エンジン。
【請求項２１】
請求項１１〜２０のいずれか１項に記載の圧縮着火式エンジンにおいて、
前記制御部は、前記第二電圧を、１０ｋＨｚ以上、１０００ｋＨｚ以下の周波数で前記電極間に印加する圧縮着火式エンジン。
【発明の詳細な説明】
【技術分野】
【０００１】
ここに開示する技術は、低温プラズマの生成方法及び圧縮着火式エンジンに関する。
【背景技術】
【０００２】
特許文献１には、リーンバーン運転を行う４ストローク型レシプロエンジンにおいて、電極間に低温プラズマ状態を形成することによって、筒内の流速を計測する技術が記載されている。具体的にこのエンジンでは、電圧制御回路が、点火時期よりも前に、点火プラグに短パルスの電界を与えることによって、電極間に低温プラズマ状態を形成している。
【先行技術文献】
【特許文献】
【０００３】
【特許文献１】特開２０１４−１４１９１９号公報
【発明の概要】
【発明が解決しようとする課題】
【０００４】
ところで、エンジンの燃焼室等の、所定の容積室内において低温プラズマを生成しようとすると、容積室内に配設した電極間に、超短パルスの電圧、及び／又は、高電圧を印加しなければならない。プラズマ生成装置のコストが増大すると共に、消費電力も増大する。
【０００５】
そのため、例えば自動車に搭載したエンジンの燃焼室内に低温プラズマを生成しようとしても、高コストのプラズマ生成装置を自動車に搭載することは難しく、しかも、仮にプラズマ生成装置を自動車に搭載しても、消費電力が大きいため、自動車の燃費性能が低下してしまう。
【０００６】
ここに開示する技術は、低温プラズマの生成を容易にする。
【課題を解決するための手段】
【０００７】
低温プラズマは、超短パルスよりも波長の長い電圧、及び／又は、比較的低い電圧を、電極間に印加することによっても生成することが可能であるが、安定的に生成することが難しい。一方で、比較的長いパルスでかつ、比較的高い電圧を、電極間に印加することによって、高温プラズマ（又は熱プラズマ）は安定的に生成することが可能である。本願発明者らは、この点に着目し、鋭意検討を重ねた。その結果、本願発明者らは、電極間の最初の放電時に、比較的高い電圧を電極間に印加することによって電極間に絶縁破壊を生じさせて高温プラズマを生成すれば、電極間に、熱電子や高温のラジカルが残留するようになり、その後、超短パルスよりも波長の長い電圧、及び／又は、比較的低い電圧を電極間に印加することによって低温プラズマを安定的に生成することができることを見出した。
【０００８】
具体的に、ここに開示する技術は、低温プラズマの生成方法に係る。低温プラズマの生成方法は、容積室内に配設された電極間に、パッシェン（Paschen）の法則によって定まる電圧以上の第一電圧を印加する第１ステップと、前記第１ステップに続けて、前記第一電圧よりも低い第二電圧を、所定の高周波で前記電極間に印加する第２ステップと、を備えている。
【０００９】
この構成によると、第１ステップでは、容積室内に配設された電極間に、パッシェンの法則によって定まる電圧以上の第一電圧を印加する。パッシェンの法則は、電極間に絶縁破壊が発生する電圧に関する実験側であり、パッシェンの法則によって定まる電圧は、電極間の距離と容積室内の圧力との積の関数である。パッシェンの法則によって定まる電圧以上の第一電圧を、電極間に印加することにより、電極間に絶縁破壊が生じて、高温プラズマが生成される。
【００１０】
第２ステップは、第１ステップに続いて行う。第２ステップでは、第一電圧よりも低い第二電圧を、所定の高周波で前記電極間に印加する。電極間に絶縁破壊が生じているから、相対的に低い第二電圧を、所定の高周波で電極間に印加することにより、低温プラズマを安定的に生成することができる。尚、「第二電圧」は、低温プラズマを生成することができる電圧として適宜定めることができ、「所定の高周波」は、低温プラズマを生成することができる周波数として適宜定めることができる。また、第２ステップは、電極間に熱電子や高温のラジカルが残留している間に行うようにすればよい。つまり、第２ステップは、第１ステップの直後に開始してもよいし、第１ステップの後、微少の休止期間を空けて開始してもよい。
【００１１】
この低温プラズマの生成方法によると、低温プラズマを生成するために、超短パルスの電圧、及び／又は、高電圧を、電極間に印加する必要がない。プラズマ生成装置のコストを低くすることができると共に、低温プラズマ生成時の消費電力も下げることができる。
【００１２】
前記第２ステップは、前記第一電圧から前記第二電圧に切り替えて、前記電極間に電圧を印加する、としてもよい。
【００１３】
こうすることで、低温プラズマを安定して生成することができる。
【００１４】
前記第２ステップは、前記電極間に印加する電圧を、前記第一電圧から前記第二電圧まで、徐々に下げる、としてもよい。
【００１５】
つまり、第一電圧から第二電圧まで電圧を低下させる移行期間を設けても、電極間に生成するプラズマを、高温プラズマから低温プラズマへと安定して移行させることができる。
【００１６】
前記第１ステップは、前記電極間に、少なくとも一回の前記第一電圧を印加する、としてもよい。つまり、電極間に、第一電圧を一回だけ印加した後、第二電圧を電極間に印加してもよいし、電極間に、第一電圧を複数回印加した後、第二電圧を電極間に印加してもよい。
【００１７】
前記容積室の圧力が高いときには、低いときよりも、前記電極間に前記第一電圧を印加する回数を多くする、としてもよい。
【００１８】
容積室の圧力が高くなると、電極間の絶縁破壊がし難くなる。容積室の圧力が高いときには、低いときよりも、電極間に第一電圧を印加する回数を多くする。このことにより、高温プラズマを適切に生成した後、第二電圧の印加によって低温プラズマを安定的に生成することができる。
【００１９】
尚、第一電圧の印加回数は、容積室の圧力が所定圧力よりも高いときに、所定圧力以下のときよりも第一電圧の印加回数が多くなるよう、容積室の圧力の高低に対して段階的に変更してもよい。尚、印加回数を変更する段階数は、任意である。また、第一電圧の印加回数は、容積室の圧力が高くなるに従って多くなるよう、容積室の圧力の高低に対して連続的に変更してもよい。
【００２０】
尚、容積室の圧力が高くなると、パッシェンの法則により、第一電圧は高くなる。
【００２１】
前記容積室は、幾何学的圧縮比が１５以上のエンジンの燃焼室であり、前記エンジンは、前記燃焼室内に生成した低温プラズマによってオゾン又はＯラジカルなどの化学種を生成すると共に、前記燃焼室内の混合気を圧縮着火により燃焼させる、としてもよい。
【００２２】
低温プラズマによってオゾン又はＯラジカルなどの化学種を生成することにより、燃焼室内の混合気の低温酸化反応が促進する。その結果、混合気の着火性が向上するため、燃焼室内の混合気を、安定的に圧縮着火により燃焼させることができる。また、燃焼室内に低温プラズマを生成することにより、燃焼室内のガス温度が高くなることが抑制されるため、燃焼温度を低くすることができる。その結果、冷却損失が低減し、エンジンの燃費性能の向上に有利になる。
【００２３】
前記エンジンは、燃焼室が吸気行程、圧縮行程、膨張行程及び排気行程を繰り返すことにより運転する４ストロークエンジンであり、前記エンジンは、圧縮行程を前半と後半とに二等分したときの後半の期間に、前記燃焼室内に低温プラズマを生成する、としてもよい。
【００２４】
低温プラズマの生成タイミングを、圧縮行程の後半の比較的遅いタイミングにすることにより、混合気の過早着火や、ノッキング等の異常燃焼の発生を抑制することができる。この構成は特に、エンジンが高負荷で運転していて、燃焼室内への燃料の供給量が多いときに、異常燃焼の発生を抑制する上で有効である。
【００２５】
前記第一電圧は、５ｋＶ以上である、としてもよい。
【００２６】
前記第二電圧は、前記第一電圧よりも０．５ｋＶ以上低い、としてもよい。
【００２７】
前記第２ステップは、前記第二電圧を、１０ｋＨｚ以上、１０００ｋＨｚ以下の周波数で前記電極間に印加する、としてもよい。
【００２８】
また、ここに開示する技術は、圧縮着火式エンジンに係る。圧縮着火式エンジンは、吸気行程、圧縮行程、膨張行程及び排気行程を繰り返す燃焼室と、前記燃焼室内に配設された一対の電極と、前記電極の間に電圧を印加する制御部と、を備え、前記制御部は、パッシェンの法則によって定まる電圧以上の第一電圧を、前記電極の間に印加した後、前記第一電圧よりも低い第二電圧を、所定の高周波で前記電極間に印加することによって、前記燃焼室内の混合気が圧縮着火により燃焼する前に、前記燃焼室内に低温プラズマを生成する。
【００２９】
この構成によると、制御部が、第一電圧を、電極間に印加することにより、電極間に絶縁破壊が生じて、燃焼室内に高温プラズマが生成される。
【００３０】
また、制御部が、第一電圧を、電極の間に印加した後、第二電圧を、所定の高周波で電極間に印加することによって、燃焼室内に低温プラズマを安定的に生成することができる。
【００３１】
燃焼室内の混合気が圧縮着火により燃焼する前に、燃焼室内に低温プラズマを生成することによって、燃焼室内にオゾン及び／又はＯラジカルなどの化学種が生成される。混合気の着火性が高まるため、混合気を、圧縮着火により安定的に燃焼させることができる。また、低温プラズマを生成することによって、燃焼室内のガス温度が高くなることが抑制される。燃焼温度を低くすることができるため、冷却損失が低減する。これらの結果、前記の構成の圧縮着火式エンジンは、エンジンの熱効率が向上する。
【００３２】
また、低温プラズマを生成する装置のコストを低くすることができると共に、低温プラズマ生成時の消費電力も下げることができるため、当該エンジンを自動車に搭載すれば、自動車の燃費性能が向上する。
【００３３】
前記制御部は、前記第一電圧から前記第二電圧に切り替えて、前記電極間に電圧を印加する、としてもよい。
【００３４】
前記制御部は、前記電極間に印加する電圧を、前記第一電圧から前記第二電圧まで、徐々に下げる、としてもよい。
【００３５】
前記制御部は、前記電極の間に、少なくとも一回の前記第一電圧を印加する、としてもよい。
【００３６】
前記制御部は、前記圧縮行程を前半と後半とに二等分したときの後半の期間に、前記燃焼室内に低温プラズマを生成する、としてもよい。
【００３７】
前記制御部は、前記第一電圧の印加タイミングが遅いときには、早いときよりも、前記電極間に前記第一電圧を印加する回数を多くする、としてもよい。
【００３８】
圧縮行程の後半において、第一電圧の印加タイミングが遅いと、燃焼室内の圧力が高くなっているため、電極間の放電がし難くなる。第一電圧の印加タイミングが遅いときには、電極間に第一電圧を印加する回数を多くすることにより、燃焼室内に高温プラズマを適切に生成した後、低温プラズマを安定的に生成することができる。
【００３９】
尚、第一電圧の印加回数は、印加タイミングが所定タイミングよりも遅いときに、所定タイミング又は所定タイミングよりも早いときよりも第一電圧の印加回数が多くなるよう、印加タイミングの遅早に対して段階的に変更してもよい。尚、印加回数を変更する段階数は、任意である。また、第一電圧の印加回数は、印加タイミングが遅くなるに従って多くなるよう、印加タイミングの遅早に対して連続的に変更してもよい。
【００４０】
前記制御部は、前記第一電圧の印加タイミングが遅いときには、早いときよりも、前記第一電圧を高くする、としてもよい。
【００４１】
前記と同様に、第一電圧の印加タイミングが遅くて、燃焼室内の圧力が高いときには、電極間に印加する前記第一電圧を高くすることにより、燃焼室内に高温プラズマを適切に生成した後、低温プラズマを安定的に生成することができる。
【００４２】
尚、第一電圧は、印加タイミングが所定タイミングよりも遅いときに、所定タイミング又は所定タイミングよりも早いときよりも第一電圧が高くなるよう、印加タイミングの遅早に対して段階的に変更してもよい。尚、第一電圧を変更する段階数は、任意である。また、第一電圧は、印加タイミングが遅くなるに従って高くなるよう、印加タイミングの遅早に対して連続的に変更してもよい。
【００４３】
前記エンジンの幾何学的圧縮比は１５以上である、としてもよい。
【００４４】
前記第一電圧は、５ｋＶ以上である、としてもよい。
【００４５】
前記第二電圧は、前記第一電圧よりも０．５ｋＶ以上低い、としてもよい。
【００４６】
前記制御部は、前記第二電圧を、１０ｋＨｚ以上、１０００ｋＨｚ以下の周波数で前記電極間に印加する、としてもよい。
【発明の効果】
【００４７】
前記の低温プラズマの生成方法及び圧縮着火式エンジンによると、低温プラズマの生成を容易にすることができる。
【図面の簡単な説明】
【００４８】
【図１】図１は、エンジンの構成を例示する図である。
【図２】図２は、エンジンの制御装置の構成を例示するブロック図である。
【図３】図３は、プラズマ生成装置の構成を例示する図である。
【図４】図４は、図３とは異なる構成のプラズマ生成装置を例示する図である。
【図５】図５は、燃焼室内において低温プラズマ及び高温プラズマが生成する、放電開始からの時間と、電極間への印加電圧との関係を示す図である。
【図６】図６は、低温プラズマを生成する際に電極間に印加する電圧の時間波形を例示する図である。
【図７】図７は、パッシェン曲線を例示する図である。
【図８】図８は、図６とは異なる、低温プラズマを生成する際に電極間に印加する電圧の時間波形を例示する図である。
【図９】図９は、筒内圧力の変化曲線と共に、燃焼室内にプラズマを生成するタイミング、及び、燃料を噴射するタイミングを例示する図である。
【図１０】図１０は、エンジンの低温プラズマの生成に係る制御を例示するフローチャートである。
【発明を実施するための形態】
【００４９】
以下、低温プラズマの生成方法及び圧縮着火式エンジンの例示的な実施形態を図面に基づいて詳細に説明する。図１は、エンジン１の構成を例示する図である。図２は、エンジンの制御装置の構成を例示するブロック図である。なお、図１において、吸気側は紙面左側であり、排気側は紙面右側である。
【００５０】
エンジン１は、燃焼室１７が吸気行程、圧縮行程、膨張行程及び排気行程を繰り返すことにより運転する４ストロークエンジンである。エンジン１は、四輪の自動車に搭載される。自動車は、エンジン１が運転することによって走行する。エンジン１の燃料は、この構成例においてはガソリンである。燃料は、バイオエタノール等を含むガソリンであってもよい。エンジン１の燃料は、少なくともガソリンを含む液体燃料であれば、どのような燃料であってもよい。
【００５１】
〈エンジンの構成〉
エンジン１は、図１では一つのシリンダ１１のみを示すが、複数のシリンダ１１を有する多気筒エンジンである。このエンジン１は、燃焼室１７を有するエンジン本体２を備える。エンジン本体２は、シリンダブロック１２と、シリンダブロック１２上に載置されるシリンダヘッド１３とを備えている。燃焼室１７は、容積室の一例である。
【００５２】
各シリンダ１１内には、ピストン３が摺動自在に内挿されている。ピストン３は、コネクティングロッド１４を介して、図示を省略するクランクシャフトに連結されている。ピストン３は、シリンダ１１及びシリンダヘッド１３と共に燃焼室１７を区画する。ここで、「燃焼室」は、ピストン３が圧縮上死点に至ったときの空間の意味に限定されない。「燃焼室」の語は広義で用いる場合がある。つまり、「燃焼室」は、ピストン３の位置に関わらず、ピストン３、シリンダ１１及びシリンダヘッド１３によって形成される空間を意味する場合がある。「燃焼室」は、「シリンダ１１の内部」と言い換えることも可能である。
【００５３】
シリンダヘッド１３の下面、つまり燃焼室１７の天井面は、いわゆるペントルーフ形状である。ピストン３の上面は、燃焼室１７の天井面に向かって隆起している。エンジン本体２の幾何学的圧縮比は、１５以上且つ３０以下に設定されている。後述するように、エンジン本体２は、高い幾何学的圧縮比を利用して、燃焼室１７内の混合気を、圧縮着火により燃焼させる。
【００５４】
シリンダヘッド１３には、シリンダ１１毎に、吸気ポート１８が形成されている。吸気ポート１８は、燃焼室１７に連通している。吸気ポート１８には、吸気弁２１が設けられている。吸気弁２１は、燃焼室１７と吸気ポート１８との間で吸気ポート１８を開閉する。エンジン本体２には、吸気弁２１の動弁機構２３（図２参照）が設けられている。吸気弁２１は、動弁機構２３によって所定のタイミングで開閉する。吸気弁２１の動弁機構２３は、バルブタイミング及び／又はバルブリフトを可変にする可変動弁機構とすればよい。
【００５５】
シリンダヘッド１３にはまた、シリンダ１１毎に、排気ポート１９が形成されている。排気ポート１９は、燃焼室１７に連通している。排気ポート１９には、排気弁２２が設けられている。排気弁２２は、燃焼室１７と排気ポート１９との間で排気ポート１９を開閉する。エンジン本体２には、排気弁２２の動弁機構２４（図２参照）が設けられている。排気弁２２は、動弁機構２４によって所定のタイミングで開閉する。排気弁２２の動弁機構２４は、バルブタイミング及び／又はバルブリフトを可変にする可変動弁機構とすればよい。
【００５６】
シリンダヘッド１３には、シリンダ１１毎に、インジェクタ６が取り付けられている。インジェクタ６は、燃焼室１７の中に燃料を直接噴射するように構成されている。インジェクタ６は、燃料供給部の一例である。インジェクタ６は、図１の構成例においては、シリンダ１１の中心付近に配設されている。インジェクタ６の配設箇所は、図１の構成例に限定されるものではない。インジェクタ６は、詳細な図示は省略するが、例えば複数の噴口を有する多噴口型の燃焼噴射弁によって構成されている。インジェクタ６は、外開弁式の燃料噴射弁によって構成してもよい。
【００５７】
シリンダヘッド１３には、シリンダ１１毎に、放電電極４が取り付けられている。本構成例において、放電電極４は、燃焼室１７で、インジェクタ６よりも排気側に配置されている。詳細は後述するが、放電電極４は、放電を行うことにより、燃焼室１７の中においてプラズマを生成する。放電電極４は、燃焼室１７内に配設された一対の電極の一例である。
【００５８】
放電電極４は、例えば図３に例示するように、中心電極４１と、接地電極４２と、中心電極４１と接地電極４２との間に介在する絶縁体４３とを、有している。中心電極４１と絶縁体４３とは、筒体４４に収容されている。接地電極４２は、側面視でＬ字状に構成されている。接地電極４２の根元は、筒体４４の下端面に、導通状態で固定されている。接地電極４２の先端は、中心電極４１に対向している。放電電極４は、火花点火用の一般的な点火プラグと同様の構成を有している。
【００５９】
放電電極４の中心電極４１と接地電極４２との間のギャップは、燃焼室１７の中に臨んでおり、且つ燃焼室１７の天井面の付近に位置している。
【００６０】
放電電極４は、このエンジン１において、燃焼室１７内に低温プラズマを生成するプラズマ生成装置４９を構成する。プラズマ生成装置４９は、例えば図３に示すように、放電電極４と、放電電極４に電圧を印加する印加部４５とを備えている。図３に例示する印加部４５は、交流式に構成されている。印加部４５は、所望の周波数の交流電流を発生する周波数発生回路４５１と、周波数発生回路４５１が発生させた所望の周波数の交流電流を、所望の電圧まで昇圧する昇圧回路４５２と、を有している。印加部４５は、後述するＥＣＵ１０からの制御信号に従って、放電電極４の電極間に、所定の周波数でかつ、所定の電圧を印加する。印加部４５は、ＥＣＵ１０と共に、電極の間に電圧を印加する制御部を構成する。
【００６１】
尚、放電電極は、図３に示す構成に限定されない。例えば図４は、放電電極の変形例を例示している。この放電電極４０は、Ｌ字状の接地電極を省略し、絶縁体４３を囲む筒体４４が、接地電極を構成している。放電電極４０は、いわゆる沿面型の点火プラグによって構成してもよい。
【００６２】
また、印加部は、図３に示す交流式に構成することに限らず、例えば図４に示すように、直流式の印加部４６に構成してもよい。直流式の印加部４６は、所望の高電圧の直流電流を発生させる高電圧発生回路４６１と、高電圧の直流電流を、所望の周波数のパルス波形に変換するスイッチング回路４６２と、を有している。印加部４６も、後述するＥＣＵ１０からの制御信号に従って、放電電極４０の電極間に、所定の周波数でかつ、所定の電圧を印加する。印加部４６は、ＥＣＵ１０と共に、電極の間に電圧を印加する制御部を構成する。
【００６３】
尚、図３に示す放電電極４と、図４に示す印加部４６とを組み合わせること、及び、図３に示す印加部４５と、図４に示す放電電極４０とを組み合わせることもそれぞれ可能である。
【００６４】
エンジン本体２の吸気ポート１８には、図示を省略する吸気通路が接続される。吸気通路には、スロットル弁５１が介設している（図２を参照）。また、エンジン本体２の排気ポート１９には、図示を省略する排気通路が接続される。排気通路には、燃焼室１７から排出された排気ガスを浄化する触媒コンバーターが配設されている。また、排気通路及び吸気通路にはそれぞれ、排気ガスの一部を吸気通路に還流させるＥＧＲ通路が接続される。ＥＧＲ通路には、排気ガスの還流量を調整するＥＧＲ弁５２が介設している（図２を参照）。
【００６５】
エンジン１は、エンジン本体２を運転するためのＥＣＵ（Engine Control Unit）１０を備えている。ＥＣＵ１０は、周知のマイクロコンピュータをベースとするコントローラーである。ＥＣＵ１０は、図４に示すように、プログラムを実行する中央演算処理装置（Central Processing Unit：ＣＰＵ）１０１と、例えばＲＡＭ（Random Access Memory）やＲＯＭ（Read Only Memory）により構成されてプログラム及びデータを格納するメモリ１０２と、電気信号の入出力をする入出力バス１０３とを備えている。
【００６６】
前記のスロットル弁５１、ＥＧＲ弁５２、インジェクタ６、プラズマ生成装置４９、吸気動弁機構２３、及び、排気動弁機構２４はそれぞれ、ＥＣＵ１０に接続されている。ＥＣＵ１０にはまた、少なくともセンサ７１〜７４が接続されている。センサ７１〜７４はそれぞれ、検知信号をＥＣＵ１０に出力する。
【００６７】
当該センサには、吸気通路に配置されたエアフローセンサ７１が含まれる。エアフローセンサ７１は、吸気通路を流れる新気の流量を検知する。
【００６８】
前記センサには、エンジン本体２に取り付けられた水温センサ７２、及び、クランク角センサ７３が含まれる。水温センサ７２は、冷却水の温度を検知する。クランク角センサ７３は、クランクシャフトの回転角を検知する。
【００６９】
前記センサには、アクセルペダル機構に取り付けられたアクセル開度センサ７４が含まれる。アクセル開度センサ７４は、アクセル開度を検知する。
【００７０】
ＥＣＵ１０は、これらの検知信号に基づいて、エンジン本体２の運転状態を判断すると共に、各デバイスの制御量を計算する。ＥＣＵ１０は、計算した制御量に係る制御信号をスロットル弁５１、ＥＧＲ弁５２、インジェクタ６、プラズマ生成装置４９、吸気動弁機構２３、及び、排気動弁機構２４に出力する。
【００７１】
〈エンジンの運転制御〉
このエンジン１は、運転領域の全域において、燃焼室１７内の混合気を圧縮着火により燃焼させるよう構成されている。エンジン１は、混合気が安定的に圧縮着火するように、燃焼室１７内において低温プラズマを生成する。低温プラズマが燃焼室１７内の酸素と化学反応することにより、燃焼室１７内に、オゾン又はＯラジカルなどの化学種が生成される。そして、Ｏラジカルなどの化学種が混合気の低温酸化反応を促進することにより、混合気の着火性が向上する。
【００７２】
ここで、燃焼室１７内において高温プラズマを生成すると、燃焼室１７の中の中心電極４１と接地電極４２との間のギャップ付近のガス温度が高くなって、燃焼温度が高くなってしまう。燃焼室１７内において低温プラズマを生成すると、燃焼室１７の中の中心電極４１と接地電極４２との間のギャップ付近のガス温度が高くなることが抑制され、燃焼温度を低くすることができる。これは、冷却損失の低減に有利になる。
【００７３】
従って、燃焼室１７内において低温プラズマを生成することにより、圧縮着火燃焼による熱効率の向上と共に、冷却損失が低減し、エンジン１の熱効率を大幅に向上させることができる。
【００７４】
〈低温プラズマの生成〉
図５は、燃焼室１７内が、大気圧又は大気圧以上であるときに、低温プラズマ及び高温プラズマが生成する、放電開始からの時間（横軸）と、電極間に印加した電圧（縦軸）との関係を示している。低温プラズマは、図５に破線で囲んだ領域５Ａのように、放電開始からの時間を短くする（つまり、超短パルスの電圧を電極間に印加する）、及び／又は、高電圧を電極間に印加することによって生成することが可能であるが、それを実現するためのプラズマ生成装置は、コストが増大してしまうと共に、消費電力も増大してしまう。自動車の燃費性能の向上のために、燃焼室１７内に低温プラズマを生成させようとしたときに、超短パルスの電圧を電極間に印加する、及び／又は、高電圧を電極間に印加するプラズマ生成装置は、自動車への搭載に不利である。
【００７５】
図５に破線で囲んだ領域５Ｂのように、低温プラズマは、放電開始からの時間が比較的長い、及び／又は、電圧が比較的低いときにも生成することが可能であるが、この条件では、低温プラズマを安定的に生成することは難しい。
【００７６】
そこで、ここに開示するプラズマの生成方法は、燃焼室１７内において先ず高温プラズマを生成する（図５の符号５Ｃの領域参照）。このことにより、電極間に、熱電子や高温のラジカルを残留させ、その状態で、符号５Ｂで示すように、電極間に、所定の高周波の比較的低い電圧を印加することにより、低温プラズマを生成する（図５の白抜きの矢印参照）。
【００７７】
こうすることで、超短パルスの電圧を電極間に印加したり、高電圧を電極間に印加したりしなくても、低温プラズマを安定的に生成することができる。また、超短パルスの電圧を電極間に印加したり、高電圧を電極間に印加したりする必要がなくなるから、プラズマ生成装置のコストが下がる。さらに、低温プラズマの生成時の消費電力が低くなるから、自動車へ搭載したときに、燃費性能が低下することが回避される。
【００７８】
具体的に、図６は、印加部４５が放電電極４の電極間に印加する電圧の時間波形を例示している。印加部４５は、図６に例示するように、最初に、所定電圧よりも高い第一電圧を、放電電極４の電極間に印加する（つまり、第１ステップ）。ここで、所定電圧は、パッシェン（Paschen）の法則によって定まる電圧である。パッシェンの法則は、電極間に絶縁破壊が発生する電圧に関する実験側であり、図７に示すように、パッシェンの法則によって定まる所定電圧は、電極間の距離（つまり、ギャップ長）と燃焼室１７内の圧力との積の関数である。パッシェン曲線によると、電極間の距離が長い、及び／又は、圧力が高いと、所定電圧は高くなる。パッシェンの法則によって定まる電圧以上の第一電圧を電極間に印加することによって（図５の５Ｃ参照）、電極間に絶縁破壊が生じ、高温プラズマを、燃焼室１７内に生成することができる。第一電圧は、幾何学的圧縮が１５以上に設定されかつ、後述するように、圧縮行程の後半の期間に第一電圧を電極間に印加する場合は、例えば５ｋＶ以上としてもよい。
【００７９】
次に、第一電圧を電極間に印加した後に続けて、印加部４５は、第一電圧よりも低い第二電圧を、所定の高周波で、放電電極４の電極間に印加する（つまり、第２ステップ）。第二電圧は、低温プラズマが生成される電圧でかつ、所定の高周波も、低温プラズマが生成される周波数である。第二電圧は、第一電圧よりも０．５ｋＶ以上低い電圧としてもよい。また、所定の高周波は、１０ｋＨｚ以上、１０００ｋＨｚ以下の周波数としてもよい。第二電圧を、所定の高周波で電極間に印加することにより、燃焼室１７内に低温プラズマを生成することができる（図５の５Ｂ参照）。第二電圧の印加は、所定の期間、継続してもよい。
【００８０】
第一電圧は、少なくとも一回、電極間に印加すればよい。燃焼室１７内の圧力が高いと、電極間において放電がし難くなる。そのため、燃焼室１７内の圧力に応じて、圧力が高いときには、図６に二点鎖線で例示するように、第一電圧を印加する回数を、二回以上にしてもよい。こうすることで、燃焼室１７内に高温プラズマを安定的に生成することができ、その後、第二電圧を電極間に印加することによって、低温プラズマを安定的に生成することが可能になる。第一電圧を印加する回数を、二回以上にする場合に、第一電圧の印加周波数は、第二電圧の印加周波数と同じ、又は、略同じにしてもよいし、第二電圧の印加周波数よりも低い周波数にしてもよい。
【００８１】
また、燃焼室１７内の圧力が高いときには、第一電圧を印加する回数を増やす代わりに、又は、増やすと共に、第一電圧をさらに高くしてもよい。こうすることでも、燃焼室１７内に高温プラズマを安定的に生成することができ、その後、第二電圧を電極間に印加することによって、低温プラズマを安定的に生成することが可能になる。
【００８２】
また、低温プラズマの生成に際し、プラズマ生成装置４９は、図６に示したように、電極間に印加する電圧を、第一電圧から第二電圧に切り替えて印加するようにしてもよいし、例えば図８に例示するように、電極間に印加する電圧を、第一電圧から前記第二電圧まで、徐々に下げるようにしてもよい。電圧を下げる移行期間を設けることでも、燃焼室１７内に生成するプラズマを、高温プラズマから低温プラズマへと移行させることができる。
【００８３】
〈エンジン運転時のプラズマ生成〉
次に、エンジンの運転時における、プラズマの生成タイミング、及び、燃料の噴射タイミングについて図９を参照しながら説明をする。図９の横軸はクランク角を示している。図９は、クランク角の進行に伴う燃焼室１７内の圧力の変化を例示している。尚、エンジン１は、所定負荷よりも高い、比較的高負荷で運転しているものとする。
【００８４】
プラズマ生成装置は、圧縮行程の後半に、燃焼室１７内にプラズマを生成する。ここで、圧縮行程の後半とは、圧縮行程を前半と後半とに二等分したときの後半の期間を意味する（つまり、−９０°〜０°ATDC）。エンジン１の負荷が高いため、燃焼室１７内に供給する燃料量が多くなる。燃焼室１７内に低温プラズマを生成するタイミングが早くなり過ぎると、過早着火やノッキング等の異常燃焼を招く恐れがある。そのため、低温プラズマは、圧縮行程の後半に燃焼室１７内に生成してもよい。また、異常燃焼を回避するために、プラズマ生成装置は、図９に図示するように、圧縮行程の終期に、低温プラズマを生成してもよい。ここで、圧縮行程の終期とは、圧縮行程を初期、中期、終期とに三等分したときの終期の期間を意味する（つまり、−６０°〜０°ATDC）。
【００８５】
但し、圧縮行程においては、ピストン３が上死点に向かって上昇するに従い、燃焼室１７内の圧力は次第に高くなるが、プラズマの生成開始タイミングが遅すぎると、燃焼室１７内の圧力が高いため、放電には不利になる。特に、このエンジン１は、幾何学的圧縮比が高いため、圧縮上死点に近づくと燃焼室１７内の圧力は、かなり高くなる。
【００８６】
そのため、プラズマの生成開始は、−３０°ATDCよりも遅くならないようにしてもよい。プラズマの生成開始を、−３０°ATDC以前にすると、燃焼室１７内の圧力が比較的低いときに高温プラズマを生成することができ、その後、低温プラズマを生成することができる。そして電極間への第二電圧の印加を、そのまま継続すれば、クランク角の進行に伴い燃焼室１７内の圧力が高くなっても、比較的低い電圧の印加によって低温プラズマの生成を継続することができる。
【００８７】
プラズマ生成装置４９はまた、圧縮上死点（ＴＤＣ）よりも所定期間前に、低温プラズマの生成を終了してもよい。前述の通り、このエンジン１は、燃焼室１７内に低温プラズマを生成することにより、オゾン又はＯラジカルなどの化学種を生成して、混合気の低温酸化反応を促進する。そのため、低温プラズマは、燃焼室１７内に燃料を供給する前に生成する。プラズマ生成装置４９は、例えば、−１０°ATDCまでに、低温プラズマの生成を終了してもよい。
【００８８】
インジェクタ６は、低温プラズマの生成後に、燃焼室１７内に燃料を噴射する。燃料の噴射時期を圧縮上死点の近くにまで遅らせることにより、異常燃焼の発生を回避することができる。前述したように、燃焼室１７内に低温プラズマを生成することにより、混合気の低温酸化反応が促進されるため、混合気の着火性が高まる。その結果、混合気は、圧縮上死点付近において、安定的に圧縮着火し、燃焼する。
【００８９】
図１０は、エンジン１の運転時の、低温プラズマの生成に係る制御フローを示している。制御フローは、ＥＣＵ１０が実行する。スタート後のステップＳ１において、ＥＣＵ１０は、各センサ等の検知信号を読み込んで、エンジン１の運転状態を判断する。続くステップＳ２において、ＥＣＵ１０は、エンジン１の運転状態に応じて、低温プラズマの生成時期を設定する。例えばエンジン１の負荷が高いときには、異常燃焼を回避するために、低温プラズマの生成時期を遅くしてもよい。一方、エンジン１の負荷が低いときには、異常燃焼が発生し難いため、低温プラズマの生成時期を早くしてもよい。
【００９０】
ステップＳ３においてＥＣＵ１０は、低温プラズマの生成開始時期が遅いか否かを判定する。判定がＹＥＳのときには、制御プロセスはステップＳ４に進み、判定がＮＯのときには、制御プロセスはステップＳ５に進む。
【００９１】
ステップＳ４においては、低温プラズマの生成開始時期が遅いため、燃焼室１７の圧力が相対的に高いことから、ＥＣＵ１０は、第一電圧を高くする、及び／又は、第一電圧の印加回数を増やす。これにより、高温プラズマを安定的に生成し、その後の低温プラズマを安定的に生成する。一方、ステップＳ５においては、低温プラズマの生成開始時期が早いため、燃焼室１７の圧力が相対的に低いことから、ＥＣＵ１０は、第一電圧を低くする、及び／又は、第一電圧の印加回数を減らす。これにより、低温プラズマを安定的に生成することができると共に、消費電力を低減することができる。
【００９２】
尚、第一電圧、及び／又は、第一電圧の印加回数は、プラズマ生成の開始時期（つまり、第一電圧の印加タイミング）が所定時期よりも遅いときに、所定時期又は所定時期よりも早いときよりも第一電圧、及び／又は、第一電圧の印加回数が高く／多くなるよう、プラズマ生成の開始時期の遅早に対して段階的に変更してもよい。尚、第一電圧、及び／又は、第一電圧の印加回数を変更する段階数は、任意である。また、第一電圧、及び／又は、第一電圧の印加回数は、プラズマ生成の開始時期が遅くなるに従って高く／多くなるよう、プラズマ生成の開始時期の遅早に対して連続的に変更してもよい。
【００９３】
ＥＣＵ１０及び印加部４５は、ステップＳ５において、放電電極４０の電極間に第一電圧を印加し、ステップＳ６において、放電電極４０の電極間に第二電圧を印加する。
【００９４】
尚、ここに開示する技術は、前記の構成に限定されるものではない。前述したプラズマ生成装置は、自動車に搭載したエンジン１の燃焼室１７内において低温プラズマを生成する用途に限らず、その他の用途にも広く適用することが可能である。
【符号の説明】
【００９５】
１    エンジン
１０  ＥＣＵ（制御部）
１７  燃焼室
２    エンジン本体
４    放電電極（電極）
４０  放電電極（電極）
４５  印加部（制御部）
４６  印加部（制御部）
４９  プラズマ生成装置
６    インジェクタ（燃料供給部）
【図１】
2019149314.tif 000003
【図２】
2019149314.tif 000004
【図３】
2019149314.tif 000005
【図４】
2019149314.tif 000006
【図５】
2019149314.tif 000007
【図６】
2019149314.tif 000008
【図７】
2019149314.tif 000009
【図８】
2019149314.tif 000010
【図９】
2019149314.tif 000011
【図１０】
2019149314.tif 000012